(57)【特許請求の範囲】
【請求項１】
センターガイドの中央部に形成された環状の穴部の底面に環状のバックヨーク付環状のマグネットまたは環状の単体マグネットを備えたスピンドルモータのターンテーブルにおいて、
前記バックヨークまたは前記単体マグネットは、前記穴部の周壁に設けられた機械的係止手段により前記環状の穴部の底面に固着されており、
前記機械的係止手段は、前記穴部の外周壁に設けられた、前記バックヨークまたは前記単体マグネットの外周縁を係止するバネ性を有する係止爪であることを特徴とするスピンドルモータのターンテーブル。
【請求項２】
センターガイドの中央部に形成された環状の穴部の底面に環状のバックヨーク付環状のマグネットまたは環状の単体マグネットを備えたスピンドルモータのターンテーブルにおいて、
前記バックヨークまたは前記単体マグネットは、前記穴部の周壁に設けられた機械的係止手段により前記環状の穴部の底面に固着されており、
前記機械的係止手段は、前記穴部の内周壁に設けられた、前記バックヨークまたは前記単体マグネットの内周縁を係止するバネ性を有する係止爪であることを特徴とするスピンドルモータのターンテーブル。
【請求項３】
センターガイドの中央部に形成された環状の穴部の底面に環状のバックヨーク付環状のマグネットまたは環状の単体マグネットを備えたスピンドルモータのターンテーブルにおいて、
前記バックヨークまたは前記単体マグネットは、前記穴部の周壁に設けられた機械的係止手段により前記環状の穴部の底面に固着されており、
前記機械的係止手段は、前記穴部の外周壁に設けられた、前記バックヨークまたは前記単体マグネットの外周縁を係止する係止爪と、前記バックヨークまたは前記単体マグネットの外周に前記係止爪を嵌入する切り欠き部を備えていることを特徴とするスピンドルモータのターンテーブル。
【請求項４】
センターガイドの中央部に形成された環状の穴部の底面に環状のバックヨーク付環状のマグネットまたは環状の単体マグネットを備えたスピンドルモータのターンテーブルにおいて、
前記バックヨークまたは前記単体マグネットは、前記穴部の周壁に設けられた機械的係止手段により前記環状の穴部の底面に固着されており、
前記機械的係止手段は、前記バックヨークの外周縁に径方向外方に複数個突起状で配置され、このバックヨークと一体に形成された突起爪と、前記穴部の外周壁に設けられた前記バックヨークの前記突起爪を嵌入可能に凹状に形成された縦溝部と、この縦溝部を形成する側壁面の一方から前記穴部の底面に沿って、前記外周壁を前記突起爪が回転移動可能な略円弧状に切り欠き形成された横溝部と、その横溝部の開口部近傍に前記突起爪の移動を阻止するように設けられた突部としたことを特徴とするスピンドルモータのターンテーブル。
【請求項５】
センターガイドの中央部に形成された環状の穴部の底面に環状のバックヨーク付環状のマグネットまたは環状の単体マグネットを備えたスピンドルモータのターンテーブルにおいて、
前記バックヨークまたは前記単体マグネットは、前記穴部の周壁に設けられた機械的係止手段により前記環状の穴部の底面に固着されており、
前記機械的係止手段は、前記バックヨークの外周縁に径方向外方に複数個突起状で配置された突起爪の面に、一体に形成された突起部と、前記穴部の外周壁に設けられた前記バックヨークの前記突起爪を嵌入可能に凹状に形成された縦溝部と、この縦溝部を形成する側壁の一方から前記穴部の底面に沿って前記外周壁を前記突起部が設けられた突起爪が回転移動可能な略円弧状に切り欠き形成された横溝部と、その横溝部の開口部近傍に前記突起部の移動を阻止するように設けられた凹所または段部としたことを特徴とするスピンドルモータのターンテーブル。
【発明の詳細な説明】
【０００１】
【発明の属する技術分野】
本発明は、ディスク保持用のクランパーを吸着するスピンドルモータのターンテーブルの構造に関する。
【０００２】
【従来の技術】
従来から、メディアディスクを利用したメディア記録再生装置は、この装置に備えられたスピンドルモータのシャフトにターンテーブルを固定し、このターンテーブルのディスク載置面にメディアディスクを載置して回転させ、このディスクに対して情報を書き込み又は読み出していた。しかしながら、メディアディスクを載置したターンテーブルは、高速で回転させるので、載置されたディスクに僅かな面内の重心のずれや反り等が有ると面振れによって該面内に於けるディスクの回転中心がずれ、やがてディスクのトラックから情報を読み取ったり、ディスクのトラックへ情報を記録する光学ピックアップがこのトラックより離脱してしまう不具合が発生する。
【０００３】
それゆえに、回転中のメディアディスクの拘束力をより強くする方法として、ターンテーブルの中央部に環状の穴部を設け、その穴部に磁気手段を備え、この磁気手段で、載置されたメディアディスクを挟持するように設けられた鉄板等の磁性材金属薄板からなるクランパーを吸引し、メディアディスクをターンテーブルのディスク載置面の方向に強固に圧接していた。
【０００４】
一般的に、ターンテーブルは回転モーメントを最低限に抑える必要があるので軽量な合成樹脂で形成される。また、そのターンテーブルに備える前記磁気手段の構造としては、ターンテーブルの中央部の環状の穴部に環状のマグネットを固着（単体マグネット方式）するか、または、鉄板等の磁性材金属薄板よりなるバックヨークと環状のマグネットを固着（バックヨーク付きマグネット方式）したものが多く使用されている。この固着の方法としては、ターンテーブルの中央部の穴部の底面に、環状のマグネットを接着剤を用い直接固着するか、または、バックヨークを接着剤を用い固着し、このバックヨークの表面に環状のマグネットを接着剤で固着をしたものがあげられる。
【０００５】
【発明が解決しようとする課題】
しかしながら、前記の接着の方法では、合成樹脂は金属やマグネット材に比較して著しく大きい線膨張率を有しているので、合成樹脂製ターンテーブルの環状の穴部の底表面に金属から成るバックヨークや金属製相当のマグネットを接着すると、使用環境の熱的条件によっては線膨張率の著しい差が生じその接着は強制的に剥離されマグネットが接着部より外れる問題がある。また、前記マグネットやバックヨークが接着された前記ターンテーブルの穴部の底面が経時的な変化により歪みが生じて強制的に接着を剥離されこのマグネットやバックヨークが接着部より外れる問題がある。
【０００６】
そこで、本発明は上記の問題点を解決して、簡単な構造であるが堅牢で生産性が良く、なおかつ、周囲の温度変化に対してディスクのクランプ能力を劣化させない高信頼性を有するディスククランプ機構を備えたターンテーブルを提供しようというものである。
【０００７】
【課題を解決するための手段】
上記の課題を解決するには、センターガイドの中央部に形成された環状の穴部の底面に環状のバックヨーク付環状のマグネットまたは環状の単体マグネットを備えたスピンドルモータのターンテーブルにおいて、前記バックヨークまたは前記単体マグネットは、前記穴部の周壁に設られた以下の機械的係止手段により前記穴部の底面に固着したことにより達成できる。
【０００８】
すなわち、前記機械的係止手段は、請求項１に記載の発明のように、前記穴部の外周壁に設けられた、前記バックヨークまたは前記単体マグネットの外周縁を係止するバネ性を有する係止爪とするか、請求項２に記載の発明のように、前記穴部の内周壁に設けられた、前記バックヨークまたは前記単体マグネットの内周縁を係止するバネ性を有する係止爪とするか、請求項３に記載の発明のように、前記穴部の外周壁に設けられた、前記バックヨークまたは前記単体マグネットの外周縁を係止する係止爪と、前記バックヨークまたは前記単体マグネットの外周に前記係止爪を嵌入する切り欠き部を備えることにより達成できる。
【０００９】
また、前記機械的係止手段は、請求項４に記載の発明のように、前記バックヨークの外周縁に径方向外方に複数個突起状で配置され、このバックヨークと一体に形成された突起爪と、前記穴部の外周壁に設けられた前記バックヨークの前記突起爪を嵌入可能に凹状に形成された縦溝部と、この縦溝部を形成する側壁面の一方から前記穴部の底面に沿って、前記外周壁を前記突起爪が回転移動可能な略円弧状に切り欠き形成された横溝部と、その横溝部の開口部近傍に前記突起爪の移動を阻止するように設けられた突部とすることにより達成できる。
【００１０】
さらに、前記機械的係止手段は、請求項５に記載の発明のように、前記バックヨークの外周縁に径方向外方に複数個突起状で配置された突起爪の面に、一体に形成された突起部と、前記穴部の外周壁に設けられた前記バックヨークの前記突起爪を嵌入可能に凹状に形成された縦溝部と、この縦溝部を形成する側壁の一方から前記穴部の底面に沿って前記外周壁を前記突起部が設けられた突起爪が回転移動可能な略円弧状に切り欠き形成された横溝部と、その横溝部の開口部近傍に前記突起部の移動を阻止するような設けられた凹所または段部とすることにより達成できる。
【００１６】
【発明の実施の形態】
次に、本発明の実施の形態を図面に従って説明する。
図１は、本発明の第１の実施の形態を示すターンテーブルの断面図である。  なお、図２は、図１に示した本発明に係る要部を示す拡大斜視図である。また、図３は図１の組立手順を示す分解斜視図である。図１において、ターンテーブルのターンテーブル本体１０は、ポリカーボネイト樹脂等の弾性を有する合成樹脂で成形されており、このセンターガイド１１の中央には環状の穴部１２が設けられ、その穴部１２の底面１２ａに鉄板等の磁性材金属薄板からなる環状のバックヨーク２０と環状のマグネット３０が固着されている。
【００１７】
詳しくは、このバックヨーク２０は、センターガイド１１の環状の穴部１２の外周壁１２ｂに設けられたバネ性を有する係止爪１４で係止され、センターガイド１１の環状の穴部１２の底面１２ａに固着されている。また、このバックヨーク２０の上面には、マグネット３０が接着剤で固着されている。
【００１８】
なお、図２は、センターガイド１１の環状の穴部１２の外周壁１２ｂに設けられたバネ性を有する係止爪１４の構造を示した要部拡大斜視図である。
図２に於いて、係止爪１４は、センターガイド１１を構成する外周壁１２ｂが複数ヶ所切断された間にそれぞれターンテーブル本体１０と一体に形成されている。底面１２ａからこの係止爪１４迄の隙間の寸法は、バックヨーク２０の厚さ寸法より僅かに大きく、また、この係止爪１４の先端部の作る包絡線の直径は、通常時はバックヨーク２０の外径より小さく、また窄めた時はこの外径より大きくなるように形成されている。また、この係止爪１４の両端はターンテーブル本体１０を形成する合成樹脂自体の薄い帯状の連結部１４ａでつながって居るので係止爪１４は常にバネ性を持たせることができる。
【００１９】
図３は、図１に示すターンテーブルの組立手順を示すものである。まず、ターンテーブル本体１０の環状の穴部１２の中央のボス１３にバックヨーク２０の中央に設けられた穴２１を挿入し、底面１２ａに圧接すると共に外周縁２２を係止爪１４で係止する。次に、係止されターンテーブル本体１０の環状の穴部１２に固着されたバックヨーク２０の上面部２３に接着剤を塗布する。
【００２０】
さらに、マグネット３０の孔３１をターンテーブル本体１０のボス部１３に嵌入し、先に固着されているバックヨーク２０の上面部２３に固着する。よって、このバックヨーク２０は穴部１２の底面１２ａに接着により固定されていないので、この固着はターンテーブル本体１０の線膨張率に影響されることはなく、さらに、マグネット３０の線膨張率はバックヨーク２０の線膨張率とほぼ等しいので、温度変化等に起因する前述したような接着部の剥離事故を防止できる。また、前記接着材は塗布時ターンテーブル本体１０の環状の穴部１２の底面１２ａとそこに係止されたバックヨーク２０の隙間に入り込むので組立ガタを無くして更に接着の強度を向上させることもできる。
【００２１】
図４は、本発明の第２の実施の形態を示すターンテーブルの断面図である。  なお、図５は、図４に示した本発明に係る要部の構成を拡大して示す分解斜視図である。また、図６は更に図５における要部をさらに拡大して示す斜視図である。さらに、図７は図４の組立手順を示す説明図である。
【００２２】
図４において、ターンテーブル本体２１０は、ポリカーボネイト樹脂等の弾性を有する成形樹脂で形成され、そのセンターガイド２１１の中央の環状の穴部２１２に鉄板等の磁性材金属薄板からなる環状のバックヨーク２２０と環状のマグネット２３０が固着されている。このバックヨーク２２０は、センターガイド２１１の環状の穴部２１２の内周壁２１２ｃに設けられたバネ性を有する係止爪２１４で係止され、センターガイド２１１の環状の穴部２１２の底面２１２ａに固着されている。また、このバックヨーク２２０の上面には、マグネット２３０が接着剤で固定されている。
【００２３】
図５において、内周壁２１２ｃを形成するボス部２１３を複数ヶ所切断された間にそれぞれターンテーブル本体２１０と一体に形成されている。また、底面２１２ａからこの係止爪２１４迄の隙間の寸法は、バックヨーク２２０の厚さ寸法より僅かに大きく、また、この係止爪２１４の先端部の作る包絡線の直径は、通常時はバックヨーク２２０の孔２２１の直径より大きく、また窄めた時はこの直径より小さくなるように形成されている。
【００２４】
また、図６は係止爪２１４を示した斜視図である。図６において、この係止爪２１４の両端は樹脂自体の帯状の連結部２１４ａでつながって居るので係止爪２１４にはバネ性を持たせることができる。
【００２５】
図７は、図４のターンテーブルの組立手順を示すものである。
まず、図７（Ａ）の矢印の如く、ターンテーブル本体２１０のセンターガイド２１１の中央部に形成された環状の穴部２１２にバックヨーク２２０を挿入して行くと、図７（Ｂ）の如くバックヨーク２２０の孔２２１の内周面は係止爪２１４の先端に当たり、その係止爪２１４は軸線方向に強制的にくの字に押し曲げられる。さらに、図７（Ｃ）の如く、バックヨーク２２０を押し下げて行くと、このバックヨーク２２０の孔２２１は係止爪２１４の先端を通過し、底面２１２ａに圧接すると共にバックヨーク２２０の孔２２１の周縁部を係止爪２１４で係止する。
【００２６】
次に、図７（Ｄ）の如く、センターガイド２１１の中央に形成されたボス部２１３にシャフト６０を矢印方向に挿入し、所定位置（点線表示部）まで圧入すると、係止爪２１４はバックヨーク２２０の孔２２１の周縁部とシャフト６０に強固に挟持される事により、この係止爪２１４は元の位置に固定されるのでバックヨーク２２０はこの係止爪２１４より外れることなくターンテーブル本体２１１の環状の穴部２１２ａの底面２１２ａに強固に固着される。
【００２７】
さらに、図７に示したように係止されたバックヨーク２２０の上面部２２３に接着剤を塗布し、図５に示したマグネット２３０の孔２３１をターンテーブル部２１１のボス部２１３に嵌入し接着し固定する。これにより、前記のバックヨーク２２０の固着はターンテーブル本体２１０の線膨張率に影響されることはなく、さらに、マグネット２３０の線膨張率はバックヨーク２２０の線膨張率とほぼ等しいので、温度変化等に起因する前述したような接着部の剥離事故は防止できる。また、前記接着材は塗布時ターンテーブル２１０の穴部２１２とそこに係止されたバックヨーク２２０の隙間に入り込むので組立ガタを無くして更に接着の強度を向上させることができる。
【００２８】
図８は、本発明の第３の実施の形態を示すターンテーブルの断面図である。
なお、図９は、図８に示す本発明に係る要部を示す分解斜視図である。また、図１０は図８の組立手順を示す分解斜視図である。図８において、ターンテーブル本体３１０はポリカーボネイト樹脂等の弾性を有する合成樹脂で形成され、そのセンターガイド３１１の中央の穴部３１２に鉄板等の磁性材金属薄板からなる環状のバックヨーク３２０と環状のマグネット３３０が固着されている。
【００２９】
このバックヨーク３２０は、ターンテーブル本体３１０のセンターガイド３１１の穴部３１２の外周壁３１２ｂに固設された係止爪３１４で係止され、センターガイド３１１の中央の穴部３１２の底面３１２ａに固着されている。
また、このバックヨーク３２０の上面には、マグネット３３０が接着剤で固着されている。
【００３０】
なお、ターンテーブル本体３１０の穴部３１２の外周壁３１２ｂに固設された係止爪３１４の構造やバックヨーク３２０、マグネット３３０の構造を図９に示す。図９において、係止爪３１４は外周壁３１２ｂ面に複数固設され、それぞれターンテーブル３１０と一体に形成されている。また、底面３１２ａからこの係止爪３１４迄の隙間の寸法は、バックヨーク３２０の厚さ寸法と等しく、また、この係止爪３１４の先端部の作る包絡線の直径はバックヨーク３２０の外径より大きく、またターンテーブル本体３１０の穴部３１２の直径より小さくなるように形成されている。
【００３１】
一方、バックヨーク３２０は、その外周縁３２２には、ターンテーブル本体３１０の穴部３１２の係止爪３１４に嵌入する切り欠き部３２４が設けられ、また、その中央にはターンテーブル本体３１０のボス部３１３に嵌入する中央孔３２１と環状面の中程に組立治具挿入用の孔３２５が設けられている。なお、マグネット３３０の外径は、ターンテーブル本体３１０の係止爪３１４の先端部の作る包絡線の直径より小さく、また、中央にはターンテーブル本体３１０のボス部３１３に嵌入する孔３２１を有している。
【００３２】
次に、図９及び図１０に基づき図８の組立手順を説明する。まず、ターンテーブル本体３１０のセンターガイド３１１の中央部に形成された環状の穴部３１２にバックヨーク３２０を挿入し、バックヨーク３２０の切り欠き部３２４をターンテーブル本体３１０の係止爪３１４に嵌入し、その穴部３１２の底面３１２ａに圧接する。
【００３３】
次に、図１０に示すようにバックヨーク３２０の小さい孔３２５に組立治具（特に図示しない）を挿入し、バックヨーク３２０を矢印Ａ方向に回転させ、切り欠き部３２４を係止爪３１４の嵌入位置より移動させ（点線３２４ａの位置）、外周縁３２２を係止爪３１４で係止する。次に、係止されたバックヨーク３２０の上面部３２３に接着剤を塗布し、マグネット３３０の孔３３１を穴部３１２に嵌入し固着する。このとき、組立治具によるバックヨーク３１０の回転は、図示した矢印と反対方向でもよい。
【００３４】
このようにバックヨーク３２０の係止は、ターンテーブル本体３１０の穴部３１２の外周壁３１２ｂに複数個固設された係止爪３１４で行うことになり、バックヨーク３２０はターンテーブル本体３１０の穴部３１２の底面３１２ａに強固に固着されることになる。これにより、前記のバックヨーク３２０の固着はターンテーブル本体３１０の線膨張率に影響されることはなく、さらに、マグネット３３０の線膨張率はバックヨーク３２０の線膨張率とほぼ等しいので、温度変化等に起因する前記した接着部の剥離事故は発生しない。また、前記接着材は塗布時ターンテーブル本体３１０の穴部３１２の底面３１２ａとそこに係止されたバックヨーク３１０の隙間に入り込むので組立ガタを無くして更に接着の強度を向上させることができる。
【００３５】
なお、前述の本発明に係る実施の形態の説明は、メディア記録再生装置の薄型化から要求されるターンテーブルを含むスピンドルモータの薄型に対応するクランパー用のマグネットにバックヨークを併用する構造を説明したが、前述の各実施の形態の変形として、特にモータの薄型化等の要求がなくバックヨークを使用しない環状のマグネットのみの構成（単体マグネットという）の場合は、バックヨークをこの単体マグネットと置き換えて組み立てればよく、これらの単体マグネットを前述の各実施の形態の本発明に係る各係止手段で直接係止し固着してもよい。この場合は、バックヨークにマグネットを接着する工程を省くことができる。
【００３６】
なお、前記の実施の形態の変形においては、マグネットをターンテーブルの中央の穴部の周壁に設けた係止爪で直接係止するので接着剤による固定は完全に廃止できるので、これにより生産性はさらにに向上し、また、固着されたマグネットは容易に外すことができるので成形樹脂やマグネットのリサイクルが簡単になり資源や環境に対し充分配慮することができる。
【００３７】
図１１は、本発明の第４の実施の形態に係るターンテーブルの要部を示す平面図である。図１１において、ポリカーボネイト樹脂等の弾性を有する合成樹脂からなるターンテーブル本体４１０のセンターガイド４１１の中央に、環状の穴部４１２が形成されている。この穴部４１２の底面４１２ａには、鉄板等の磁性材金属薄板からなる環状のバックヨーク４２０が載置されている。
【００３８】
さらに詳しくは、センターガイド４１１の中央には、穴部４１２の内周壁４１２ｃが構成するボス部４１３とその中央に貫通孔４１３ａが形成されている。また、穴部４１２の外周壁４１２ｂが形成するセンターガイド４１１の内面を、底面４１２ａの位置まで縦凹状に切り欠き縦溝部４１４が均等に複数配置形成されている。さらに、この縦溝部４１４の一方の縦溝側壁面４１４ａより、センターガイド４１１の内面を底面４１２ａに沿って円弧凹状（破線で示す）に横に切り欠き横溝部４１５が形成されている。
【００３９】
図１２は、図１１における縦溝部４１４と横溝部４１５を備えた係止手段の周辺構造を詳しく拡大して示す斜視図である。図１２において、縦溝部４１４は環状の穴部４１２の底面４１２ａに略垂直な縦溝側壁面４１４ａと４１４ｂ、縦溝周面４１４ｃで凹状溝を形成している。また、この縦溝部４１４の縦溝底面４１４ｄの面は、底面４１２ａと同じ面上にある。さらに、この縦溝側壁面４１４ａから環状の穴部４１２の外周壁４１２ｂ、すなわち、センターガイド４１１の内側を、底面４１２ａに略平行に沿って円弧状に切り欠いて横溝部４１５が形成されている。
【００４０】
この横溝部４１５について詳しくは、外周壁４１２ｂが縦溝側壁面４１４ａ側より円弧状に切り欠かれているので、横溝側壁面４１５ａと横溝周面４１５ｃおよび横溝奧壁面４１５ｄで形成されている。また、横溝周面４１５ｃは縦溝周面４１４ｃと略同一面上に形成されている。なお、このように形成された横溝部４１５の横溝側壁面４１５ａと対面する側は、横溝部４１５の切り欠き形状を呈するように成形金型のコア側に設けられた角ピンが入り込むので、横溝側壁面４１５ａと相似形の角孔部４１５ｅが形成され空洞になっている。ただし、バックヨーク４２０の本体部は、常に底面４１２ａの面上に支持されているので、機能上この底面４１２ａが横溝側壁面４１５ａと対面する横溝部４１５の横溝側壁面と見なすことができる。
【００４１】
また、横溝側壁面４１５ａの縦溝側壁面４１４ａ側の開口部の近傍に突部４１６が設けられている。なお、この突部４１６は、別取付としても良いが成形金型により成型加工時、横溝側壁面４１５ａと一体に形成するのが効率が良い。
【００４２】
図１３は、図１１におけるバックヨーク４２０の構造をさらに詳しく示す斜視図である。図１３において、バックヨーク４２０は、中央に設けられた孔４２１と外周縁４２２で本体部となる環状部４２３を形成している。この孔４２１の径は図１１におけるターンテーブル４１０のボス４１３の径よりも大きく、また、外周縁４２２の径は外周壁４１２ｂの径より小さく形成されている。
【００４３】
また、外周縁４２２には外方に向かう複数の突起状の係止爪４２４が均等に配置されている。この係止爪４２４の大きさは、図１１の縦溝部４１４に嵌入できる大きさであり、また、配置角度と配置数は、図１１に示した縦溝部４１４の配置角と一致させてある。なお、配置数は配置角が等しければ最低略１８０゜の位置に１個ずつ形成設けてもよい。
【００４４】
また、係止爪４２４の厚さ寸法は、環状の底面４１２ａと横溝側壁面４１５ａのなす溝幅寸法よりより小さく、環状の底面４１２ａと突部４１６の先端がなす距離寸法より大きく形成されている。また、環状部４２３の同一円周上に、係止作業に使用する複数の孔４２５が等角度の位置に均等に配置されている。
【００４５】
図１４は、図１１の状態より本発明に係る係止作業が実行された状態を示す平面図である。図１４において、図１１に示す如くに、センターガイド４１１の環状の穴部４１２に載置されているバックヨーク４２０を、ボス部４１３を軸として矢印Ｂの方向に回転させ、係止爪４２４を横溝部４１５内に移動させ、この係止爪４２４を横溝奧壁面４１５ｄと突部４１６で係止している。
【００４６】
図１５および図１６を用いて、図１４に示す縦溝部４１４および横溝部４１５とバックヨーク４２０の係止爪４２４の係止した状態を詳しく説明する。図１５は、図１４のＣ−Ｃ矢視した拡大断面図である。図１６は前記係止作業に使用する治具を示す説明図である。
【００４７】
図１５において、４２４ａは、縦溝部４１４の縦溝底面４１４ｄに載置されたバックヨーク４２０の係止爪を示し、４２４ｂはこのバックヨーク４２０を横溝部４１５の横溝奧壁面４１５ｄの方向まで回転し（矢印Ｄの方向）移動させた係止爪を示すものである。これによると、移動した係止爪４２４ｂは、横溝部４１５内の底面４１２ａの位置で、突部４１６を通過し横溝奧壁面４１５ｄの直前に位置している。
【００４８】
なお、この突部４１６が設けられている横溝側壁面４１５ａは、合成樹脂製のセンターガイド４１１の内側を切り欠かれて形成されているので、横溝側壁面４１５ａの突部４１６が設けられている部分は弾力性を有しており、図１６に示すような回転治具Ｅ（治具の本体は図示しない）で、バックヨーク４２０を強制的に回転させれば、その係止爪４２４は突部４１６を上方に持ち上げ容易にここを通過することができ、また、この部分は係止爪４２４が通過後、速やかに元の位置に復帰することができる。これにより、ターンテーブルの係止手段を形成する横溝部４１５の突部４１６に、バックヨーク４２０の係止部となる係止爪４２４が確実に係止されることになる。
【００４９】
なお、図１６において、４１２ｄは底面４１２ａに設けられた、治具Ｅの先端逃げの環状溝を示したものである。
また、係止したバックヨーク４２０をこの係止手段より外すときもこの治具Ｅを使用すれば容易に外すことができる。
なお、治具Ｅの先端をバックヨーク４２０の板厚内の長さとすれば、この環状溝４１２ｄは不要であり、さらに、治具を磁性材と永久磁石等で構成してバックヨークを磁気力で吸着すると孔４２５も不要となりバックヨークも作りやすくなる。
【００５０】
図１７は、本発明に係るターンテーブルの組立手順を示す分解斜視図である。
図１７において、本発明に係るターンテーブルは、まず、ターンテーブル本体４１０の環状の穴部４１２にバックヨーク４２０を前述した係止作業により固着し、次に、バックヨーク４２０の上面に接着剤などで環状のマグネット４３０を固着する。
【００５１】
このように組み立てられると、バックヨーク４２０は、マグネット４３０とバックヨーク４２０には接着剤の他、磁気吸引が作用するので接合力が増強され一段と強固に固着されることになる。また、前記の接着剤が係止されたバックヨークの周辺に流れ込ませると、ガタ防止や角孔部４１５ｅの密閉をすることもできる。
【００５２】
図１８は、本発明に係るターンテーブルをスピンドルモータのロータに組み付けた状態を示す断面図である。図１８において、バックヨーク４２０とマグネット４３０を固着したターンテーブル本体４１０のボス部４１３にシャフト６０の端部が圧入されている。また、ターンテーブル本体４１０のバックヨーク４２０の取付面と反対面の外周縁の近傍に円筒状のローターヨーク４０が固着されている。またこのローターヨーク４０の内側にモータ駆動用のマグネット５０が固着されている。
【００５３】
なお、本説明はターンテーブル本体４１０がロータヨーク４０と一体構造のものを説明したが、これを分離構造にしたものも同じ構成になる。
【００５４】
次に、本発明第５の実施の形態を図１９および図２０を用いて説明する。
図１９は、本発明の第５の実施の形態に係るバックヨーク５２０を示す斜視図である。また、図２０は、第５の実施の形態に係るターンテーブル本体５１０の要部を示す断面図である。なお、図２０に示す断面位置は、図１４に示すＣ−Ｃ矢視に相当する位置を切断して示したものである。
なお、第５の実施の形態は基本的には第４の実施の形態と同じであるが、異なるところは、バックヨーク５２０に設けた係止部とターンテーブル本体５１０のセンターガイドに設けた係止手段の形状が異なる点である
【００５５】
図１９において、バックヨーク５２０は、同心上の中央の孔５２１と外周縁５２２で本体部となる環状部５２３を形成している。なお、外周縁５２２には外方に向かう複数の突起状の爪部５２４が均等に配置されている。この爪部５２４のそれぞれの面内に同一方向に突起した係止突部５２６が形成されている。なお、この係止突部５２６は、別部品として爪部５２４に取り付けてもよいが、爪部５２４とプレス加工時に一体に形成するのが効率がよい。
【００５６】
図２０において、横溝部５１５の横溝側壁面５１５ａの略中央部に凹所５１７が設けられている。また、底面５１２ａと横溝側壁面５１５ａのなす溝幅寸法は、爪部５２４の厚さ寸法より大きく、爪部５２４と係止突部５２６と含めた厚さ寸法より小さく形成されている。また、底面５１２ａと凹所５１７の最深部がなす距離寸法は、爪部５２４と係止突部５２６と含めた厚さ寸法よりやや大きく形成されている。
【００５７】
なお、５２４ａは、縦溝部５１４の縦溝底面５１４ｄ面に載置された図１９のバックヨーク５２０の係止突部５２６ａがが設けられた爪部を示し、５２４ｂおよび５２６ｂはこのバックヨーク５２０を横溝部５１５の横溝奧壁面５１５ｄの方向まで回転し（矢印Ｆの方向）移動させた爪部と係止突部の位置を示したものである。これによると、移動した爪部５２４ｂは、横溝部５１５内での底面５１２ａ面上で、横溝奧壁面５１５ｄの直前に位置し、係止突部５２６ｂは凹所５１７に嵌入している。
【００５８】
なお、この凹所５１７が設けられている横溝側壁面５１５ａは、第４の実施の形態と同じように、センターガイド５１１の内側を切り欠かれて形成されているので、横溝側壁面５１５ａの凹所５１７が設けられている部分は弾力性を有しており、図１６に示すような回転治具Ｅで、バックヨーク５２０を強制的に回転させれば、その係止突部５２６ａは横溝側壁面５１５ａを上方に持ち上げ容易に凹所５１７に嵌入できる。
【００５９】
これにより、ターンテーブルの係止手段を形成する横溝部５１５の凹所５１７に、バックヨーク５２０の係止部となる係止突部５２６が確実に係止されることになる。またこの第２の形態は、横溝部の円弧の長さを短くする利点がある。
なお、治具に関する先端逃げや孔については、第４の実施の形態と同様にして不要にすることができる。
【００６０】
図２１は、本発明の第５の実施の形態に係る係止手段の変形を示す断面図である。なお、図２１に示すターンテーブル本体６１０の断面位置は、図２０に示す位置と同じ位置を断面したものである。図２１において、図２０の横溝部５１５に相当する横溝部６１５の横溝側壁面６１５ａの開口部近傍に段部６１８が設けられている。このようにすると、段部６１８は図２０の凹所５１７と同じように係止突部５２４ｂを確実に係止できる。
また、この第５の形態の変形は、さらに横溝部の円弧の長さを短くすることができる。
【００６１】
なお、前述した横溝部はアンダーカット方式の金型にて形成可能で有るが、金型構造の複雑化や、横溝側壁面の開口部の近傍に設けた突部または凹所の形状に制限がでるので、前述したようなアンダーカットを行わない金型構造とすれば、金型の構造は簡素化でき、また、その横溝側壁面の片側に角孔が空くが、突部または凹所の形状は、半球状の丸形や半円筒形の係止部を横溝部を形成する金型の角ピンの先端面に彫り込むことにより容易に得ることができる。
【００６２】
【発明の効果】
前述したように、本発明によれば、センターガイドの中央部に形成された環状の穴部の底面に環状のバックヨーク付環状のマグネットまたは環状の単体マグネットを備えたスピンドルモータのターンテーブルにおいて、前記バックヨークまたは前記単体マグネットは、前記穴部の周壁に設けられた機械的係止手段により前記穴部の底面に固着することにより、前記バックヨークの固着は、ターンテーブル本体自体の線膨張率に影響されることはなく、さらに、マグネットの線膨張率はバックヨークの線膨張率とほぼ等しいので、温度変化等に起因する前述したような接着部の剥離事故は起きることはない。
【００６３】
なお、前記機械的係止手段は、請求項１、請求項２、請求項３に記載した発明によれば、前記環状の穴部の外周壁又は内周壁に、前記環状のバックヨークまたは前記環状の単体マグネットの外周縁または内周縁を係止するバネ性を有する係止爪を設けることにより、簡単な構造であるが堅牢で生産性に優れたものを得ることができる。
【００６４】
そして、前記機械的係止手段は、請求項４および請求項５に記載した発明によれば、前記バックヨークの外周縁に配置され、このバックヨークと一体に形成された突起爪またはこの突起爪に設けた突起部と、前記穴部の外周壁に設けられた縦溝部と、この縦溝部を形成する側壁面の一方から前記穴部の底面に沿って、前記外周壁を前記突起爪が回転移動可能な略円弧状に切り欠き形成された横溝部と、その横溝部の開口部近傍に前記突起爪または突起部の移動を阻止するように突部または凹所や段部を設けることにより、簡単な構造であるが堅牢で生産性に優れたものを得ることができる。
【００６５】
なお、前記の請求項４および請求項５に記載した発明に係る前記機械的係止手段は、全て前記穴部の外周壁内に収納できるので、センターガイドの中央の穴部面積を有効に使うことができ、その結果として、より薄型のスピンドルモータに対応した薄型のターンテーブルを得ることができる。
【００６６】
以上説明したように、簡単な構造であるが堅牢で生産性が良く、尚かつ、周囲の温度変化等に対してディスクのクランプ能力を劣化させない高信頼性を有するディスククランプ機構を備えたスピンドルモータのターンテーブルを得ることができる。
【図面の簡単な説明】
【図１】本発明の第１の実施の形態を示すターンテーブルの断面図である。
【図２】図１に示した要部を説明する拡大斜視図である。
【図３】図１の組立手順を示す分解斜視図である。
【図４】本発明の第２の実施の形態を示すターンテーブルの断面図である。
【図５】図４に示した要部を説明する拡大斜視図である。
【図６】図５の要部を更に拡大した斜視図である。
【図７】図４の組立手順を説明する説明図である。
【図８】本発明の第３の実施の形態を示すターンテーブルの断面図である。
【図９】図８の要部と組立手順を説明する分解斜視図である。
【図１０】図８の要部と組立手順を説明する分解斜視図である。
【図１１】本発明の第４の実施の形態を示すターンテーブルの要部の平面図である。
【図１２】図１１における係止手段の周辺構造を詳しく拡大して示す斜視図である。
【図１３】図１１における係止部の構造をさらに詳しく示す斜視図である。
【図１４】図１１の係止作用が実行された状態を示す平面図である。
【図１５】図１４のＣ−Ｃ矢視した拡大断面図である。
【図１６】図１４に説明する係止作業に使用する治具を示す説明図である。
【図１７】図１１のターンテーブルの組立手順を示す分解斜視図である。
【図１８】図１１のターンテーブルをスピンドルモーターのロータに組み付けた状態を示す断面図である。
【図１９】本発明の第５の実施の形態に係るバックヨークを示す斜視図である。
【図２０】図１９に係るターンテーブルの要部を示す断面図である。
【図２１】第５の実施の形態に係るターンテーブルの変形の要部を示す断面図である。
【符号の説明】
１０  ターンテーブル本体
１１  センターガイド
１２  穴部
１２ａ  底面
１２ｂ  外周壁
１３  ボス
１４  係止爪
２０  バックヨーク
３０  マグネット
４０  ロータヨーク
５０  ロータマグネット
６０  シャフト
【図１】
0003852763.tif 000002
【図２】
0003852763.tif 000003
【図３】
0003852763.tif 000004
【図４】
0003852763.tif 000005
【図５】
0003852763.tif 000006
【図６】
0003852763.tif 000007
【図７】
0003852763.tif 000008
【図８】
0003852763.tif 000009
【図９】
0003852763.tif 000010
【図１０】
0003852763.tif 000011
【図１１】
0003852763.tif 000012
【図１２】
0003852763.tif 000013
【図１３】
0003852763.tif 000014
【図１４】
0003852763.tif 000015
【図１５】
0003852763.tif 000016
【図１６】
0003852763.tif 000017
【図１７】
0003852763.tif 000018
【図１８】
0003852763.tif 000019
【図１９】
0003852763.tif 000020
【図２０】
0003852763.tif 000021
【図２１】
0003852763.tif 000022